(57)【要約】【課題】本発明は、キーボードの上に誤って液体を零したとしても、この液体を速やかに筐体の外部に排出できる電子機器を得ることにある。【解決手段】電子機器1は、筐体4を備えている。筐体4は、回路部品8, 9を収容する第１の隔室51と、第１の隔室51と区画された第２の隔室47, 65とを有している。筐体4の上面にキーボード25が載置されるキーボード載置部20が形成されている。キーボード載置部20と第２の隔室47, 65との間は、液体入口48, 66を介して互いに連通されている。液体入口48, 66よりも下方に第２の隔室47, 65から筐体4の外部に向けて開口する液体出口49, 67が形成されている。液体出口49, 67は、液体入口48, 66よりも大きな開口面積を有する。【選択図】      図２
2008040990.tif 000002
【特許請求の範囲】
【請求項１】
回路部品を収容する第１の隔室と、この第１の隔室と区画された第２の隔室とを有する筐体と、
上記筐体に設けられ、キーボードが載置されるキーボード載置部と、
上記キーボード載置部と上記第２の隔室との間を連通させる液体入口と、
上記液体入口よりも下方において上記第２の隔室から上記筐体の外部に向けて開口するとともに、上記液体入口よりも大きな開口面積を有する液体出口と、を具備することを特徴とする電子機器。
【請求項２】
請求項１の記載において、上記筐体は、底壁と、この底壁の縁から起立する側壁とを有し、上記液体出口は、上記側壁に開口する少なくとも一つの第１の排液口と、上記底壁に開口する少なくとも一つの第２の排液口とを含むことを特徴とする電子機器。
【請求項３】
請求項２の記載において、上記筐体の底壁は、上記第２の隔室に対応する位置に上記底壁よりも一段高い段付き部を有し、上記第２の排液口は、上記段付き部に形成されていることを特徴とする電子機器。
【請求項４】
請求項２の記載において、上記液体入口の少なくとも一部は、上記第２の排液口と向かい合うことを特徴とする電子機器。
【請求項５】
請求項１又は請求項２の記載において、上記筐体は、上記第１の隔室と上記第２の隔室との間に位置する隔壁を備えていることを特徴とする電子機器。
【請求項６】
請求項５の記載において、上記筐体は、上記液体出口を有するボトムケースと、上記キーボード載置部および上記液体入口を有するトップカバーとを含み、上記隔壁は、上記ボトムケースから上向きに突出する第１の壁部と、上記トップカバーから下向きに突出する第２の壁部とを備えていることを特徴とする電子機器。
【請求項７】
請求項６の記載において、上記第１の壁部の上端は、上記第１の排液口よりも上方に位置することを特徴とする電子機器。
【請求項８】
請求項６の記載において、上記第１の壁部と上記第２の壁部とは、上記筐体の厚み方向に互いにオーバーラップしていることを特徴とする電子機器。
【請求項９】
請求項８の記載において、上記第１の壁部は、上記第２の壁部を外側から取り囲んでいることを特徴とする電子機器。
【請求項１０】
請求項１の記載において、上記キーボード載置部は、上記キーボードを支える底面を有し、この底面に上記液体入口と、上記キーボード載置部に流れ込んだ液体を上記液体入口に導くガイド溝とが形成されていることを特徴とする電子機器。
【請求項１１】
回路部品を収容する第１の隔室と、この第１の隔室と区画された第２の隔室とを有する筐体と、
上記筐体に設けられ、キーボードが載置されるキーボード載置部と、
上記筐体に設けられ、上記第１の隔室と上記第２の隔室との間に位置する隔壁と、
上記キーボード載置部と上記第２の隔室との間を連通させる液体入口と、
上記液体入口よりも下方において上記第２の隔室から上記筐体の外部に向けて開口する液体出口と、を具備することを特徴とする電子機器。
【請求項１２】
請求項１１の記載において、上記液体出口は、上記液体入口よりも大きな開口面積を有することを特徴とする電子機器。
【請求項１３】
請求項１１又は請求項１２の記載において、上記筐体は、上記液体出口を有するボトムケースと、上記キーボード載置部および上記液体入口を有するトップカバーとを含み、上記隔壁は、上記ボトムケースから上向きに突出する第１の壁部と、上記トップカバーから下向きに突出する第２の壁部とを備えていることを特徴とする電子機器。
【請求項１４】
請求項１３の記載において、上記第１の壁部と上記第２の壁部とは、上記筐体の厚み方向に互いにオーバーラップしていることを特徴とする電子機器。
【請求項１５】
請求項１４の記載において、上記第１の壁部は、上記第２の壁部を外側から取り囲んでいることを特徴とする電子機器。
【発明の詳細な説明】
【技術分野】
【０００１】
本発明は、キーボード載置部が形成された筐体を有する電子機器に係り、特にキーボード載置部に置かれたキーボードの上に液体をこぼした時に、この液体を筐体の外に排出するための構造に関する。
【背景技術】
【０００２】
例えばポータブルコンピュータは、プリント回路板やハードディスク駆動装置のような主要な構成要素を収容する筐体を備えている。筐体は、キーボードが置かれるキーボード載置部を有している。キーボード載置部は、筐体の上面に位置するとともに、キーボードがきっちりと嵌まり込むような凹みで構成されている。
【０００３】
ところで、ポータブルコンピュータを使用している時、オペレータはコーヒのような飲料水を飲みながらキーボードを操作することがあり得る。この際、オペレータが誤って飲料水をキーボードの上に零してしまうと、零れた飲料水がキーボード載置部に溜まったり、キーボード載置部から筐体内に流れ込むことがあり得る。
【０００４】
この改善策として、例えば特許文献１は、キーボード載置部に流れ込む飲料水を筐体の外に排出するようにしたポータブルコンピュータを開示している。この従来のポータブルコンピュータは、第１の排出ホール、第２の排出ホールを有するガイドチャンネルおよび第３の排出ホールを備えている。
【０００５】
第１の排出ホールは、キーボードのベースプレートに形成されて、キーボード載置部の底と向かい合っている。ガイドチャンネルは、キーボード載置部の底に形成されており、第１の排出ホールから排出される飲料水を受けるとともに、この受けた飲料水を第２の排出ホールに導く。第３の排出ホールは、筐体の底面に形成されて、第２の排出ホールの真下に位置している。
【０００６】
したがって、誤って飲料水をキーボードの上に零した場合、零れた飲料水は、キーボード載置部から第１の排出ホールを通ってガイドチャンネルに導かれる。ガイドチャンネルに導かれた飲料水は、第２の排出ホールから第３の排出ホールに向かうとともに、第３の排出ホールを通じて筐体の外に排出される。
【特許文献１】特開２００３−１２２４５４号公報
【発明の開示】
【発明が解決しようとする課題】
【０００７】
特許文献１によると、第２の排出口および第３の排出口は、夫々筐体の内部に開口するとともに、この筐体の内部で互いに間隔を存して向かい合っている。
【０００８】
このような構成では、第２の排出口から第３の排出口に至る排出経路が筐体の内部にそのまま露出しているので、第２の排出口から第３の排出口に向けて滴下する飲料水が筐体の内部に飛散するのを避けられない。
【０００９】
特に第３の排出口の周囲にプリント回路板が位置するので、第２の排出口から滴下する飲料水が筐体の内部に飛散してプリント回路板の充電部分に付着する虞があり得る。この結果、プリント回路板に実装された回路部品が短絡し、回路部品が致命的な損傷を受ける不具合がある。
【００１０】
本発明の目的は、キーボードの上に誤って液体を零したとしても、この液体を回路部品が収容された筐体内部の領域に漏らすことなく速やかに筐体の外部に排出できる電子機器を得ることにある。
【課題を解決するための手段】
【００１１】
上記目的を達成するため、本発明の一つの形態に係る電子機器は、  
回路部品を収容する第１の隔室と、この第１の隔室と区画された第２の隔室とを有する筐体と、  
上記筐体に設けられ、キーボードが載置されるキーボード載置部と、  
上記キーボード載置部と上記第２の隔室との間を連通させる液体入口と、  
上記液体入口よりも下方において上記第２の隔室から上記筐体の外部に向けて開口するとともに、上記液体入口よりも大きな開口面積を有する液体出口と、を備えていることを特徴としている。
【発明の効果】
【００１２】
本発明によれば、キーボードの上に誤って液体を零したとしても、この液体を筐体の外部に速やかに排出することができ、回路部品が収容された筐体内部の領域に液体が流入するのを防止できる。
【発明を実施するための最良の形態】
【００１３】
以下本発明の第１の実施形態を、図１ないし図１３に基づいて説明する。
【００１４】
図１は、電子機器の一例であるポータブルコンピュータ１を開示している。ポータブルコンピュータ１は、本体ユニット２と表示ユニット３とを備えている。
【００１５】
本体ユニット２は、第１の筐体４を有している。第１の筐体４は、例えばマグネシウム合金のような軽量な金属材料で造られている。第１の筐体４は、底壁４ａ、前壁４ｂ，左右の側壁４ｃ，４ｄ、後壁４ｅおよび上壁４ｆを有する偏平な箱状をなしている。側壁４ｃ，４ｄは、底壁４ａの縁から起立している。
【００１６】
図２ないし図４に示すように、第１の筐体４は、ボトムケース５とトップカバー６とで構成されている。ボトムケース５は、底壁４ａ、前壁４ｂ，左右の側壁４ｃ，４ｄおよび後壁４ｅを有している。トップカバー６は、上壁４ｆを有するとともに、ボトムケース５を上方から覆っている。ボトムケース５とトップカバー６とは、複数のねじ７を介して互いに連結されている。
【００１７】
第１の筐体４は、プリント回路板８やハードディスク駆動装置９のような主要な回路部品を収容している。プリント回路板８は、第１の筐体４の底壁４ａと平行に配置されている。プリント回路板８は、例えば複数のメモリモジュール１０が接続される複数のコネクタ１１ａ、キーボードコネクタ１１ｂおよびＣＰＵを含む図示しない複数の回路素子を実装している。
【００１８】
表示ユニット３は、第２の筐体１３を有している。第２の筐体１３は、第１の筐体４と略同じ大きさの偏平な箱状をなしている。第２の筐体１３は、液晶表示パネル１４を収容している。液晶表示パネル１４は、文字情報や画像情報を表示する表示面１４ａを有している。表示面１４ａは、第２の筐体１３の前面に開けた開口部１５を通じて表示ユニット３の外に露出している。
【００１９】
表示ユニット３は、図４に示すヒンジ１６を介して本体ユニット２の後端部に連結されている。表示ユニット３は、ヒンジ１６を支点として、本体ユニット２の上に横たわる閉じ位置と、本体ユニット２の後端部から起立する開き位置との間で回動可能となっている。
【００２０】
トップカバー６の上壁４ｆは、第１の筐体４の上面を構成している。第１の筐体４の上面にパームレスト１９およびキーボード載置部２０が形成されている。パームレスト１９は、上面の前半部に位置するとともに、第１の筐体４の幅方向に延びている。パームレスト１９の中央部にポインティングデバイスの一例であるタッチパッド２１が配置されている。
【００２１】
キーボード載置部２０は、パームレスト１９の背後に位置している。キーボード載置部２０は、第１の筐体４の上面に開口するような長方形状の凹みであって、第１の筐体４の略全幅に亘る幅寸法を有している。
【００２２】
図２ないし図４に示すように、キーボード載置部２０は、第１の筐体４の上面よりも下方に位置する底面２２と、この底面２２を取り囲む起立面２３とを有している。起立面２３の上縁は、第１の筐体４の上面に連続している。
【００２３】
キーボード載置部２０は、キーボード２５を支持している。キーボード２５は、キーボードベース２６、複数のキートップ２７および図示しないメンブンレンスイッチを備えている。
【００２４】
キーボードベース２６は、キーボード載置部２０にきっちりと嵌まり合うような長方形の板状をなしている。言い換えると、キーボードベース２６は、キーボード載置部２０の底面２２の上に重なり合うとともに、起立面２３によって取り囲まれている。キートップ２７は、キーボードベース２６に支持されて第１の筐体４の上面に露出されている。メンブレンスイッチは、キーボードベース２６とキートップ２７との間に介在されて、キートップ２７の押し下げ動作に基づいてＯＮされる。
【００２５】
キーボード２５は、例えばキーボードベース２６の後縁をキーボード載置部２０に引っ掛けるとともに、キーボードベース２６の前縁を一対のキーボードホルダ２８ａ，２８ｂとキーボード載置部２０との間で挟み込むことで、キーボード載置部２０に保持されている。
【００２６】
図２、図４および図５に示すように、キーボード載置部２０の底面２２にケーブル導入孔２９と凹所３０が形成されている。ケーブル導入孔２９は、タッチパッド２１から引き出された第１のフラットケーブル３１およびキーボード２５から引き出された第２のフラットケーブル３２を第１の筐体４の内部に導くためのものであり、キーボード載置部２０の前端の左側部に位置している。第１のフラットケーブル３１は、プリント回路板８の上の図示しないコネクタに接続されている。第２のフラットケーブル３２は、プリント回路板８の上のキーボードコネクタ１１ｂに接続されている。
【００２７】
凹所３０は、キーボード載置部２０の前縁と左側縁とで規定される角部に位置するとともに、ケーブル導入孔２０と隣り合っている。
【００２８】
ケーブル導入孔２９は、板金製のカバー３３で液密に覆われている。図６に示すように、カバー３３は、一端に一対の係止片３４ａ，３４ｂを有するとともに、他端に窪み部３５を有している。係止片３４ａ，３４ｂは、キーボード載置部２０の底面２２に引っ掛かっている。窪み部３５は、キーボード載置部２０の凹所３０に嵌め込まれている。窪み部３５にキーボード載置部２０の上からねじ３６が挿通されている。ねじ３６は、キーボード載置部２０から下向きに突出するボス部３７を貫通するとともに、ボトムケース５の底壁４ａから上向きに突出するボス部３８にねじ込まれている。
【００２９】
このため、ねじ３６は、カバー３３をキーボード載置部２０の底面２２に固定する機能と、ボトムケース５とトップカバー６とを結合する機能とを兼ね備えている。さらに、ボス部３７，３８は、プリント回路板８の左端部を挟み込んで、このプリント回路板８を第１の筐体４に固定している。
【００３０】
図６に示すように、カバー３３の裏面は防水シート３９で覆われている。防水シート３９の上にシール部材４０が貼り付けられている。シール部材４０は、例えばスポンジゴムのような弾性体で構成されており、カバー３３の外周縁部に沿うようなループ状をなしている。
【００３１】
図２に最もよく示されるように、カバー３３をキーボード載置部２０の底面２２に固定すると、ケーブル導入孔２９の開口周縁部にシール部材４０が周方向に連続して密着する。これにより、ケーブル導入孔２９が液密に閉じられるとともに、第１および第２のフラットケーブル３１，３２がケーブル導入孔２９の開口周縁部とシール部材４０との間で挟み込まれる。この結果、第１および第２のフラットケーブル３１，３２がケーブル導入孔３０を貫通する部分の液密が確保される。
【００３２】
図７ないし図９に示すように、第１の筐体４のボトムケース５は、複数の脚部４２を有している。脚部４２は、ボトムケース５の底壁４ａの外周部から下向きに突出している。脚部４２は、ポータブルコンピュータ１を例えば机の天板のような載置面Ｇの上に置いた時に載置面Ｇに突き当たり、キーボード２５の手元側が低くなるような姿勢に本体ユニット２をティルトアップさせる。
【００３３】
このため、ポータブルコンピュータ１を載置面Ｇの上に置いた状態では、キーボード載置部２０の底面２２がキーボード載置部２０の前端部の方向に進むに従い下向きに傾斜するようになっている。
【００３４】
図２および図３に示すように、第１の筐体４は、第１および第２の排液部４５，４６を備えている。第１の排液部４５は、第１の筐体４の幅方向に沿う左端部に位置している。第２の排液部４６は、第１の筐体４の幅方向に沿う右端部に位置している。
【００３５】
第１の排液部４５は、第１の液体入口４８および第１の液体出口４９を備えている。第１の排液部４５は、キーボード載置部２０の前端の左側部の真下に位置している。第１の排液部４５は、隔壁５０によってプリント回路板８のような水気を嫌う回路部品から区画されている。言い換えると、隔壁５０は、第１の筐体４の内部を回路部品が収容された第１の隔室５１と、この第１の隔室５１と隣り合う第２の隔室４７とに区画している。そのため、隔壁５０は、第１の隔室５１と第２の隔室４７との間に位置している。
【００３６】
隔壁５０は、第１の壁部５２と第２の壁部５３とで構成されている。図２および図１２に示すように、第１の壁部５２は、ボトムケース５の底壁４ａの内面から上向きに突出している。第１の壁部５２は、第１の筐体４の左側の側壁４ｃと協働して筒状の通路５４を形成している。
【００３７】
第２の壁部５３は、トップカバー６のうちキーボード載置部２０の凹所３０に対応する箇所から下向きに突出するとともに、通路５４の上端部に入り込んでいる。このため、第２の壁部５３は、第１の壁部５２によって外側から取り囲まれているとともに、第１の筐体４の厚み方向に沿う長さＬ１の範囲に亘って互いにオーバーラップしている。
【００３８】
図２および図１０に示すように、第１の液体入口４８は、キーボード載置部２０の凹所３０に形成されて、キーボード載置部２０と第２の隔室４７との間を連通させている。第１の液体入口４８は、第２の壁部５３を介して通路５４の上端と向かい合っている。
【００３９】
さらに、キーボード載置部２０の底面２２の左端部にガイド溝５５が形成されている。ガイド溝５５は、第１の筐体４の奥行き方向に延びるとともに、その前端が凹所３０に連なっている。
【００４０】
なお、凹所３０に嵌まり込むカバー３３の他端には、第１の液体入口４８を避ける切り欠き５６が形成されている。
【００４１】
図２および図７に示すように、第１の筐体４のボトムケース５は、その底壁４ａと左側の側壁４ｃとで規定される角部に、底壁４ａよりも一段高い第１の段付き部５８を有している。第１の段付き部５８は、第１の筐体４の奥行き方向に延びているとともに、第１の筐体４の左側方に向けて開口している。
【００４２】
さらに、第１の段付き部５８は、ポータブルコンピュータ１を載置面Ｇの上に置いた時に、載置面Ｇの上方に位置する底部５９を有している。第１の段付き部５８の底部５９は、第２の隔室４７の底を兼ねている。
【００４３】
第１の液体出口４９は、複数の第１の排液口６０と、単一の第２の排液口６１とを有している。第１の排液口６０は、ボトムケース５の左側の側壁４ｃに上下に並べて形成されており、第１の液体入口４８よりも下方において第２の隔室４７から第１の筐体４の左側方に向けて開口している。
【００４４】
第２の排液口６１は、段付き部５８の底部５９に形成されている。第２の排液口６１は、液体入口４８よりも下方において第２の隔室４７から段付き部５８の下方に向けて開口している。
【００４５】
第１および第２の排液口６０，６１の開口面積の総和は、第１の液体入口４８の開口面積よりも大きく設定されている。そのため、例えば飲料水のような液体が第１の液体入口４８から第２の隔室４７に流入した場合に、この液体の流入量よりも第１の液体出口４９から第１の筐体４の外に流出する液体の流出量の方が多くなる。
【００４６】
図３に示すように、上記第２の排液部４６は、第２の液体入口６６および第２の液体出口６７を備えている。第２の排液部４６は、キーボード載置部２０の前端の右側部の真下に位置している。第２の排液部４６は、隔壁６８によってプリント回路板８のような回路部品から区画されている。言い換えると、隔壁６８は、第１の筐体４の内部を、回路部品が収容された第１の隔室５１と、この第１の隔室５１と隣り合う第２の隔室６５とに区画している。このため、隔壁６８は、第１の隔室５１と第２の隔室６５との間に位置している。
【００４７】
隔壁６８は、第１の壁部６９と第２の壁部７０とで構成されている。第１の壁部６９は、ボトムケース５の底壁４ａの内面から上向きに突出している。図１３に示すように、第１の壁部６９は、第１の筐体４の右側の側壁４ｄと協働して筒状の通路７１を形成している。
【００４８】
第２の壁部７０は、キーボード載置部２０の前端の右端部に対応する箇所から下向きに突出するとともに、通路７１の上端部に入り込んでいる。このため、第２の壁部７０は、第１の壁部６９によって外側から取り囲まれているとともに、第１の筐体４の厚み方向に沿う長さＬ２の範囲に亘って互いにオーバーラップしている。
【００４９】
図３および図１１に示すように、第２の液体入口６６は、キーボード載置部２０の底面２２から起立面２３に跨るように形成されて、キーボード載置部２０と第２の隔室６５との間を連通させている。第２の液体入口６６は、第２の壁部７０を介して通路７１の上端と向かい合っている。
【００５０】
図３および図７に示すように、第１の筐体４のボトムケース５は、その底壁４ａと右側の側壁４ｄとで規定される角部に底壁４ａよりも一段高い第２の段付き部７３を有している。第２の段付き部７３は、第１の筐体４の奥行き方向に延びているとともに、第１の筐体４の右側方に向けて開口している。さらに、第２の段付き部７３は、ポータブルコンピュータ１を載置面Ｇの上に置いた時に、載置面Ｇの上方に位置する底部７４を有している。第２の段付き部７３の底部７４は、第２の隔室６５の底を兼ねている。
【００５１】
第２の液体出口６７は、複数の第１の排液口７５と、複数の第２の排液口７６とを有している。第１の排液口７５は、ボトムケース５の右側の側壁４ｄに上下に二列に並べて形成されており、第２の液体入口６６よりも下方において第２の隔室６５から第１の筐体４の右側方に向けて開口している。本実施の形態によると、第１の壁部６９の上端は、第１の排液口７５よりも上方に位置している。
【００５２】
第２の排液口７６は、第２の段付き部７３の底部７４に形成されて、ボトムケース５の奥行き方向に二列に並んでいる。第２の排液口７６は、第２の液体入口６６よりも下方において第２の隔室６５から第２の段付き部７３の下方に向けて開口している。本実施の形態の場合、第２の液体入口６６は、第２の排液口７６のうちの一部の真上に位置して、この第２の排液口７６と向かい合っている。
【００５３】
さらに、第１および第２の排液口７５，７６の開口面積の総和は、第２の液体入口６６の開口面積よりも大きく設定されている。このため、例えば飲料水のような液体が第２の液体入口６６から第２の隔室６５に流入した場合に、この液体の流入量よりも第２の液体出口６７から第１の筐体４の外に流出する液体の流出量の方が多くなる。
【００５４】
図９および図１３に示すように、ボトムケース５の右側の側壁４ｄにロック孔７８が形成されている。ロック孔７８は、いわゆるケンジントンロックと称する盗難防止装置を接続するためのものである。ロック孔７８は、第１および第２の排液口７５，７６よりも大きな開口形状を有するとともに、第２の隔室６５に開口している。
【００５５】
このため、ロック孔７８に盗難防止装置を接続していない状態では、このロック孔７８が第２の液体出口６７としての機能を兼ねている。
【００５６】
次に、上記構成の作用について説明する。
【００５７】
例えば、オペレータが飲料水のような液体を飲みながらポータブルコンピュータ１を使用している時に、誤って液体をキーボード２５の上に零してしまった場合、零れた液体は、キートップ２７の間を通じてキーボードベース２６の上に流れ込む。
【００５８】
キーボードベース２６の上を流れる液体は、キーボードベース２６の外周縁からキーボード載置部２０の外周部に流れ込む。この際、ポータブルコンピュータ１の本体ユニット２は、ポータブルコンピュータ１が載置面Ｇの上に置かれた状態では、脚部４２の存在により前方に進むに従い下向きに傾斜している。このため、キーボード載置部２０に流れ込んだ液体の多くは、キーボード載置部２０の前端部に集まる。
【００５９】
第１の実施の形態のポータブルコンピュータ１では、キーボード載置部２０の前端の左側部に第１の液体入口４８が位置し、キーボード載置部２０の前端の右側部に第２の液体入口６６が位置している。したがって、キーボード載置部２０の前端部に集まる液体は、図２および図３に矢印で示すように、第１および第２の液体入口４８，６６から第２の隔室４７，６５に流れ込む。特に、キーボード載置部２０の左側部に流れ込む液体は、その底面２２に位置するガイド溝５５を伝わって積極的に第１の液体入口４８に導かれる。
【００６０】
第２の隔室４７，６５に流れ込んだ液体は、夫々第１および第２の液体出口４９，６７を通じて第１の筐体４の外部に排出される。
【００６１】
このようなポータブルコンピュータ１によると、第２の隔室４７に流れ込んだ液体を第１の筐体４の外部に排出する第１の液体出口４９は、第１の液体入口４８よりも大きな開口面積を有し、第２の隔室６５に流れ込んだ液体を第１の筐体４の外部に排出する第２の液体出口６７は、第２の液体入口６６よりも大きな開口面積を有している。
【００６２】
このため、キーボード２５の上に零した液体が第２の隔室４７，６５を通じて第１の筐体４の外部に排出される際に、この液体の多くは瞬時に第２の隔室４７，６５から第１の筐体４の外部に排出される。
【００６３】
したがって、第２の隔室４７，６５に流れ込んだ液体が、プリント回路板８のような水気を嫌う回路部品が収容された第１の隔室５１に溢れ出ることはない。
【００６４】
この結果、キーボード２５の上に零れた液体が回路部品に付着するのを防止でき、回路部品の致命的な損傷を回避することができる。
【００６５】
さらに、第１の隔室５１と第２の隔室４７，６５との間に位置する隔壁５０，６８は、ボトムケース５の底壁４ａから上向きに突出する第１の壁部５２，６９と、トップカバー６のキーボード載置部２０から下向きに突出する第２の壁部５３，７０とで構成されている。第１の壁部５２，６９は、夫々ボトムケース５の側壁４ｃ，４ｄと協働して筒状の通路５４，７１を構成するとともに、第２の壁部５３，７０を外側から取り囲んでいる。
【００６６】
このような構成によると、第２の壁部５３，７０で囲まれた領域よりも第１の壁部５２，６９で囲まれた領域の方が広いので、液体が第２の壁部５３，７０で囲まれた領域から第１の壁部５２，６９で囲まれた領域に流れ込む時に、液体は二つの領域の境界部分に滞留することなく速やかに第１および第２の液体出口４９，６７に向けて流れる。
【００６７】
そのため、第２の隔室４７，６５内での液体の流れが円滑となり、キーボード２５の上からキーボード載置部２０に流れ込む液体を速やかに第１の筐体４の外部に排出できる。
【００６８】
それとともに、第１の壁部５２，６９と第２の壁部５３，７０は、第１の筐体４の厚み方向に互いにオーバーラップしているので、このオーバーラップ分が第２の隔室４７，６５から第１の隔室５１への液体の流れを妨げる堰となる。
【００６９】
このため、液体の多くが第２の隔室４７，６５から瞬時に排出されることと合わせて、第１の隔室５１に液体が流入するのを確実に防止できる。
【００７０】
さらに、第２の隔室４７，６５からの液体の排出が瞬時に行われるので、第２の隔室４７，６５に流れ込んだ液体が第１の壁部５２，６９と第２の壁部５３，７０との間に入り込むことはない。そのため、第１の壁部５２，６９と第２の壁部５３，７０との間をシールする専用のパッキン類が不要となり、コスト的な面でも有利な構成となる。
【００７１】
上記構成によると、第１の液体出口４９の第２の排液口６１は、ボトムケース５の底壁４ａよりも一段高い第１の段付き部５８の底部５９に開口している。同様に、第２の液体出口６７の第２の排液口７６は、ボトムケース５の底壁４ａよりも一段高い第２の段付き部７３の底部７４に開口している。
【００７２】
このため、図２および図３に最もよく示されるように、ポータブルコンピュータ１を載置面Ｇの上に置いた状態では、第２の排液口６１，７６と載置面Ｇとの間に第１および第２の段付き部５８，７３の高さに対応するような隙間Ｓが形成される。この結果、第２の排液口６１，７６から排出される液体の流れが載置面Ｇによって遮られることはなく、第２の隔室４７，６５内の液体を第２の排液口６１，７６を通じて速やかに排出できる。
【００７３】
それとともに、第１および第２の段付き部５８，７３は、第１の筐体４の側方に開口しているので、液体が第１および第２の液体出口４９，６７から排出されているか否かを目視によって容易に確認することができる。
【００７４】
加えて、上記構成によると、隔壁５０，６８の第１の壁部５２，６９は、ボトムケース５と一体化できるとともに、第２の壁部５３，７０にしてもトップカバー６と一体化できる。このため、第１の筐体４の内部に第２の隔室４７，６５を区画するための専用の構成要素が不要となり、ポータブルコンピュータ１のコストの増大を防止できるといった利点がある。
【００７５】
なお、本発明は上記第１の実施の形態に特定されるものではなく、発明の主旨を逸脱しない範囲内で種々変更して実施可能である。
【００７６】
例えば、図１４は本発明の第２の実施の形態を開示している。
【００７７】
この第２の実施の形態は、キーボード載置部２０の構成が上記第１の実施の形態と相違しており、それ以外の本体ユニット２の構成は、上記第１の実施の形態と同様である。そのため、第２の実施の形態において、上記第１の実施の形態と同一の構成部分については同一の参照符号を付して、その説明を省略する。
【００７８】
図１４に示すように、キーボード載置部２０の底面２２に第１の排出路８１および第２の排出路８２が形成されている。第１の排出路８１は、第１の排液部４５に対応するものであり、底面２２の幅方向に沿う中央よりも左側に位置している。第１の排出路８１は、三本の第１の溝部８３と一本の第２の溝部８４とを備えている。
【００７９】
第１の溝部８３は、キーボード載置部２０の幅方向に延びるとともに、キーボード載置部２０の奥行き方向に間隔を存して互いに平行に配置されている。第２の溝部８４は、第１の溝部８３の左端部の間に跨るようにキーボード載置部２０の奥行き方向に延びている。そのため、第１の溝部８３と第２の溝部８４は、底面２２の上で互いに接続されているとともに、第２の溝部８４の前端が底面２２の凹所３０に接続されている。
【００８０】
第１の溝部８３は、第２の溝部８４の方向に進むに従い深さを増すことが望ましく、第２の溝部８４は、凹所３０の方向に進むに従い深さを増すことが望ましい。
【００８１】
一方、第２の排出路８２は、第２の排液部４６に対応するものであり、底面２２の幅方向に沿う中央よりも右側に位置している。第２の排出路８２は、三本の第１の溝部８６と一本の第２の溝部８７とを備えている。
【００８２】
第１の溝部８６は、キーボード載置部２０の幅方向に延びるとともに、キーボード載置部２０の奥行き方向に間隔を存して互いに平行に配置されている。第２の溝部８７は、第１の溝部８６の右端部の間に跨るようにキーボード載置部２０の奥行き方向に延びている。そのため、第１の溝部８６と第２の溝部８７は、底面２２の上で互いに接続されているとともに、第２の溝部８７が液体入口６６の上を横切っている。
【００８３】
第１の溝部８６は、第２の溝部８７の方向に進むに従い深さを増すことが望ましく、第２の溝部８７は、第２の液体入口６７の方向に進むに従い深さを増すことが望ましい。
【００８４】
このような構成によると、キーボード２５の上に零れた液体がキーボードベース２６の外周部からキーボード載置部２０に流れ込むと、キーボード載置部２０の左半分に流れ込んだ液体の一部は、第１および第２の溝８３，８４を通じて第１の液体入口４８に積極的に導かれる。
【００８５】
同様に、キーボード載置部２０の右半分に流れ込んだ液体の一部は、第１および第２の溝８６，８７を通じて第２の液体入口６６に積極的に導かれる。
【００８６】
このため、キーボード載置部２０に流れ込んだ液体を速やかに第１および第２の排液部４５，４６に導くことができ、キーボード２５の上に零れた液体がキーボード載置部２０に滞留し難くなるといった利点がある。
【００８７】
なお、本発明に係る液体の排出構造は、ポータブルコンピュータ用に特定されるものではなく、キーボードを有するその他の電子機器であっても同様に実施可能である。
【図面の簡単な説明】
【００８８】
【図１】本発明の第１の実施の形態に係るポータブルコンピュータの斜視図。
【図２】本発明の第１の実施の形態において、キーボード、第１の排液部および回路部品の位置関係を示すポータブルコンピュータの断面図。
【図３】本発明の第１の実施の形態において、キーボード、第２の排液部および回路部品の位置関係を示すポータブルコンピュータの断面図。
【図４】本発明の第１の実施の形態において、キーボード載置部を有する第１の筐体の斜視図。
【図５】本発明の第１の実施の形態において、キーボード載置部を有する第１の筐体の平面図。
【図６】本発明の第１の実施の形態において、ケーブル導入孔を覆うカバーの斜視図。
【図７】本発明の第１の実施の形態に係る第１の筐体の底面図。
【図８】本発明の第１の実施の形態に係るポータブルコンピュータの左側面図。
【図９】本発明の第１の実施の形態に係るポータブルコンピュータの右側面図。
【図１０】本発明の第１の実施の形態において、図４のF10の部分を拡大して示す斜視図。
【図１１】本発明の第１の実施の形態において、図４のF11の部分を拡大して示す斜視図。
【図１２】図２のF12-F12線に沿う断面図。
【図１３】図３のF13-F13線に沿う断面図。
【図１４】本発明の第２の実施の形態に係る第１の筐体の斜視図。
【符号の説明】
【００８９】
４…筐体（第１の筐体）、８，９…回路部品（プリント回路板、ハードディスク駆動装置）、２０…キーボード載置部、２５…キーボード、４７，６５…第２の隔室、４８，６６…第１および第２の液体入口、４９，６７…第１および第２の液体出口、５０，６８…隔壁、５１…第１の隔室。
【図１】
2008040990.tif 000003
【図２】
2008040990.tif 000004
【図３】
2008040990.tif 000005
【図４】
2008040990.tif 000006
【図５】
2008040990.tif 000007
【図６】
2008040990.tif 000008
【図７】
2008040990.tif 000009
【図８】
2008040990.tif 000010
【図９】
2008040990.tif 000011
【図１０】
2008040990.tif 000012
【図１１】
2008040990.tif 000013
【図１２】
2008040990.tif 000014
【図１３】
2008040990.tif 000015
【図１４】
2008040990.tif 000016